(57)【要約】【課題】可動部材の大型化を図りつつ可動部材を大きな範囲で安定して移動可能な遊技機を提供する。【解決手段】設置部材２３の背面板２５の前側に、第１基体３０が配設される。第１基体３０には、上端部に第１長孔３１が設けられると共に下端部に第１ガイド溝３２が第１長孔３１と平行に設けられる。第１可動部材２９は、上端部に設けた第１ローラを第１長孔３１に転動自在に係合すると共に、下端部に設けた第１被ガイド部４３を第１ガイド溝３２に摺動自在に係合して、第１可動部材２９は第１長孔３１および第１ガイド溝３２に沿って往復移動する。第１被ガイド部４３は、第１可動部材２９の右端縁から右方に延出する延出端部４３ａを備える。設置部材２３の右壁部２６ｄに、第１被ガイド部４３の延出端部４３ａが挿通可能な退避口６５が形成される。【選択図】図１５
2014023879.tif 000002
【特許請求の範囲】
【請求項１】
前側に遊技領域が設けられる遊技盤と、前側に開口する箱状に形成されて前記遊技盤の裏側に配設された設置部材と、該設置部材における遊技盤と対向する設置面部の裏側に配設され、該設置面部に開設した開口部および遊技盤に設けた可視部を介して図柄を変動表示可能な表示部を前側に臨ませた図柄表示装置と、前記設置部材における設置面部の前側に配設され、可動部材の動作により演出を行なう可動演出装置とを備えた遊技機において、
前記設置部材における設置面部の前面に設けられて前記可動部材の移動方向に沿って延在するガイド部と、
前記可動部材に設けられて該可動部材の移動方向に沿って延在し、前記ガイド部に係合案内される被ガイド部と、
前記ガイド部および被ガイド部の係合下に、前記可動部材を前記可視部に臨む第１位置および可視部の中央から離れる第２位置の間を直線的に往復移動する駆動手段とを備え、
前記被ガイド部における可動部材の移動方向の第２位置側の端部は、前記可動部材の端縁から延出し、
前記設置部材における設置面部の外端縁から前側に立上がって可動部材の第２位置側の端縁に対向する壁部に、前記被ガイド部の延出端部が挿通可能な退避口を設けた
ことを特徴とする遊技機。
【請求項２】
前記可動部材は、前記第２位置では前記被ガイド部の延出端部が前記退避口に挿通された状態で前記第２位置側の端縁が前記壁部に近接して前記設置面部の前側に重なるよう構成した請求項１記載の遊技機。
【請求項３】
前記設置面部に前記開口部が矩形状に開設され、
前記開口部における第１の辺に沿う設置面部に、前記ガイド部が第１の辺と交差する方向に延在して設けられると共に、該ガイド部に前記可動部材の長手方向の一端部側に設けられた前記被ガイド部が係合され、
前記開口部における第１の辺と交差する第２の辺に沿う設置面部に、前記ガイド部と平行な第２のガイド部が設けられて、該第２のガイド部に前記可動部材の長手方向の他端部側に設けられた第２の被ガイド部が係合され、
前記可動部材は、前記第１位置では前記被ガイド部の延出端部がガイド部に係合している状態で前記第２位置側の端縁が第１の辺から開口部側に離間するよう構成した請求項１または２記載の遊技機。
【発明の詳細な説明】
【技術分野】
【０００１】
この発明は、動作により演出を行なう可動演出装置を備えた遊技機に関するものである。
【背景技術】
【０００２】
代表的な遊技機であるパチンコ機は、機内にセットされる遊技盤の前側に画成した遊技領域の略中央位置に枠状の枠状装飾部材(所謂センター役物)を配設すると共に、遊技盤の裏側に配設した設置部材に液晶式やドラム式等の図柄表示装置を配設し、設置部材および枠状装飾部材に設けた開口部から前側に臨ませた図柄表示装置の表示部において図柄組み合わせやリーチ演出等の遊技演出を行なうよう構成されている。またパチンコ機では、前記設置部材に、所要の動作を行なう可動部材を備えた可動演出装置を配設し、該可動部材を前記図柄表示装置で行なわれる遊技演出に合わせて動作させることにより、視覚的な演出効果を向上させ、遊技の興趣を一層増大するようにしたパチンコ機が知られている(例えば、特許文献１参照)。
【先行技術文献】
【特許文献】
【０００３】
【特許文献１】特開２０１１−１０８７２号公報
【発明の概要】
【発明が解決しようとする課題】
【０００４】
近年のパチンコ機は、前記図柄表示装置で行なわれる図柄変動演出の多様化やインパクトを高め、遊技の面白みを増大させることを目的として、前記遊技盤に対して大型の図柄表示装置が配設される傾向が強くなっている。また、前記可動部材についても、視覚的な演出効果を高めてインパクトのある演出を行なうために大型化したり移動範囲を大きくすることが望まれている。
【０００５】
ここで、前記可動部材を大型化する場合は、該可動部材における駆動手段との連繋部に対して離間する端部の移動が不安定となることから、移動する該端部を案内するガイド部が設けられる。この場合に、図柄表示装置の大型化に対応するべく設置部材の開口部を大きくすると、該設置部材においてガイド部を配設するスペースが小さくなることからガイド部の長さも制限され、可動部材を安定して移動させる範囲が限られてインパクトのある演出ができなくなる問題を招く。なお、特許文献１のように開口部を挟む上下位置にガイド部を配設することで、可動部材を長い範囲で安定して移動させることは可能となるものの、該ガイド部を配設する部位が限定されてしまい、可動部材を配設する自由度が低下する難点がある。
【０００６】
すなわち本発明は、従来の技術に係る遊技機に内在する前記課題に鑑み、これを好適に解決するべく提案されたものであって、可動部材の大型化を図りつつ可動部材を大きな範囲で安定して移動可能な遊技機を提供することを目的とする。
【課題を解決するための手段】
【０００７】
前記課題を克服し、所期の目的を達成するため、本願の請求項１に係る発明は、
前側に遊技領域(21a)が設けられる遊技盤(21)と、前側に開口する箱状に形成されて前記遊技盤(21)の裏側に配設された設置部材(23)と、該設置部材(23)における遊技盤(21)と対向する設置面部(25)の裏側に配設され、該設置面部(25)に開設した開口部(23a)および遊技盤(21)に設けた可視部(24a)を介して図柄を変動表示可能な表示部を前側に臨ませた図柄表示装置(18)と、前記設置部材(23)における設置面部(25)の前側に配設され、可動部材(29,47)の動作により演出を行なう可動演出装置(M1.M2)とを備えた遊技機において、
前記設置部材(23)における設置面部(25)の前面に設けられて前記可動部材(29,47)の移動方向に沿って延在するガイド部(32,50)と、
前記可動部材(29,47)に設けられて該可動部材(29,47)の移動方向に沿って延在し、前記ガイド部(32,50)に係合案内される被ガイド部(43,61)と、
前記ガイド部(32,50)および被ガイド部(43,61)の係合下に、前記可動部材(29,47)を前記可視部(24a)に臨む第１位置および可視部(24a)の中央から離れる第２位置の間を直線的に往復移動する駆動手段(34,52)とを備え、
前記被ガイド部(43,61)における可動部材(29,47)の移動方向の第２位置側の端部(43a,61a)は、前記可動部材(29,47)の端縁から延出し、
前記設置部材(23)における設置面部(25)の外端縁から前側に立上がって可動部材(29,47)の第２位置側の端縁に対向する壁部(26d)に、前記被ガイド部(43,61)の延出端部(43a,61a)が挿通可能な退避口(65)を設けたことを要旨とする。
【０００８】
請求項１の発明によれば、設置部材のガイド部で係合案内される被ガイド部を可動部材の端縁から延出すると共に、その延出端部が挿通可能な退避口を設置部材に開設したので、ガイド部と被ガイド部との係合状態を維持したもとで可動部材を大きな範囲で安定して移動させることができる。すなわち、ガイド部の長さが制限されていても、被ガイド部を長くすることで、可動部材の大型化を図りつつ可動部材を大きな範囲で安定して移動することが可能となり、図柄表示装置の大型化にも対応し得る。また、ガイド部を配設する部位が限定されず、可動部材の配設位置の自由度を高めて興趣のある演出が可能となる。
【０００９】
請求項２に係る発明では、前記可動部材(29,47)は、前記第２位置では前記被ガイド部(43,61)の延出端部(43a,61a)が前記退避口(65)に挿通された状態で前記第２位置側の端縁が前記壁部(26d)に近接して前記設置面部(25)の前側に重なるよう構成したことを要旨とする。
請求項２の発明によれば、第２位置において可動部材を設置面部に重なるよう構成したので、可動部材の第２位置では図柄表示装置の表示部を前側に臨ませる大きな領域を確保することができ、図柄表示装置によるインパクトのある演出が可能となる。
【００１０】
請求項３に係る発明では、前記設置面部(25)に前記開口部(23a)が矩形状に開設され、
前記開口部(23a)における第１の辺(25e)に沿う設置面部(25)に、前記ガイド部(32,50)が第１の辺(25e)と交差する方向に延在して設けられると共に、該ガイド部(32,50)に前記可動部材(29,47)の長手方向の一端部側に設けられた前記被ガイド部(43,61)が係合され、
前記開口部(23a)における第１の辺(25e)と交差する第２の辺(25f)に沿う設置面部(25)に、前記ガイド部(32,50)と平行な第２のガイド部(31,49)が設けられて、該第２のガイド部(31,49)に前記可動部材(29,47)の長手方向の他端部側に設けられた第２の被ガイド部(40,58)が係合され、
前記可動部材(29,47)は、前記第１位置では前記被ガイド部(43,61)の延出端部(43a,61a)がガイド部(32,50)に係合している状態で前記第２位置側の端縁が第１の辺(25e)から開口部(23a)側に離間するよう構成したことを要旨とする。
請求項３の発明によれば、可動部材を長手方向の両端部で係合案内することで、該可動部材の安定した移動を図りつつ、図柄表示装置における表示部の前側に可動部材を大きく出すことができ、該可動部材の動作によるインパクトのある演出を行ない得る。
【発明の効果】
【００１１】
本発明に係る遊技機によれば、可動部材の大型化を図りつつ可動部材を大きな範囲で安定して移動させることができる。
【図面の簡単な説明】
【００１２】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を、第１〜第４演出装置の各可動部材が第２位置にある状態で示す概略正面図である。
【図４】実施例に係る遊技盤を、第１〜第４演出装置の各可動部材が第１位置にある状態で示す概略正面図である。
【図５】実施例に係る遊技盤に設置部材を配設した状態を後側から視た概略斜視図である。
【図６】実施例に係る設置部材を、各演出装置を配設した状態で示す概略正面図であって、各可動部材は第２位置にある状態で示している。
【図７】実施例に係る各演出装置を取り外した設置部材を前側から視た概略斜視図である。
【図８】実施例に係る第１演出装置を分解して前側から視た概略斜視図である。
【図９】実施例に係る第２演出装置を分解して前側から視た概略斜視図である。
【図１０】実施例に係る第１演出装置を第１可動部材を第２位置にした状態で示す側面図である。
【図１１】実施例に係る第２演出装置を第２可動部材を第２位置にした状態で示す要部側面図である。
【図１２】実施例に係る設置部材の要部正面図であって、第１および第２可動部材が第２位置にある状態で示している。
【図１３】実施例に係る可動部材を第２位置にした状態で設置部材を退避口の部位で横断して示す要部平面図である。
【図１４】実施例に係る設置部材の要部背面図であって、第１および第２可動部材が第２位置にある状態で示している。
【図１５】実施例に係る設置部材の要部正面図であって、第１および第２可動部材が第１位置にある状態で示している。
【図１６】実施例に係る可動部材を第１位置にした状態で設置部材を退避口の部位で横断して示す要部平面図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２１を着脱可能に保持する本体枠としての中枠１２が開閉および着脱可能に組み付けられて、該遊技盤２１の裏側に、各種図柄を変動表示可能な図柄表示装置１８が着脱可能に配設されている。また、前記中枠１２の前面側には、前記遊技盤２１を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１５】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤２１に向けて発射されるようになっている。
【００１６】
(外枠１１について)
前記外枠１１は、上下左右の４つの枠部材を相互に組み付けることで縦長の矩形枠体として構成されるものであって、４つの枠部材で画成される開口領域に対し、前記中枠１２が開閉および着脱自在に支持されて、外枠１１に対して中枠１２を閉成することで、該外枠１１の内側に中枠１２が収容されるよう構成される。
【００１７】
(中枠１２について)
図２に示すように、前記中枠１２は、上縁をなす上枠部材１２ａと、下縁をなし、打球発射装置１６、各種制御装置(図示せず)を設置する設置部として機能する下枠部材１２ｂと、左縁(一方の側縁)をなす左枠部材１２ｃと、右縁(他方の側縁)をなす右枠部材１２ｄとから構成されて、これら上下左右の枠部材１２ａ,１２ｂ,１２ｃ,１２ｄを組み付けた際に、全体が外枠１１の開口領域に整合する大きさに形成される。そして、外枠１１に対して中枠１２の左枠部材１２ｃ側が、ヒンジ機構１９を介して回動自在に支持されて、右枠部材１２ｄが施錠装置(図示せず)により施錠されるようになっている。また、中枠１２には、上下左右の枠部材１２ａ,１２ｂ,１２ｃ,１２ｄを組み付けることで前後に開口する遊技盤保持部２０が画成され、該遊技盤保持部２０に遊技盤２１が着脱自在にセット保持される。図１,図２において、遊技盤２１の前面に配設されている各種の遊技部品は、後述する案内レール２２を除いて図示省略してある。また、図２においては、前枠１３に配設されている透視保護板１３ｂも図示省略している。
【００１８】
(遊技盤２１について)
前記遊技盤２１は、図２〜図４に示すように、前記中枠１２の遊技盤保持部２０に整合する略正方形に形成された所定板厚の木材板の表面に、各種絵柄等が描かれた合成樹脂シート(図示せず)等を貼付けて装飾した板部材であって、該遊技盤２１の表面(盤面)に配設された略円形状に湾曲形成する案内レール２２により、パチンコ球が流下可能な遊技領域２１ａが画成されている。また、前記遊技盤２１の裏側に、図５に示す如く、前記図柄表示装置１８が着脱自在に取り付けられる設置部材２３が配設されており、該設置部材２３に形成された前後に開口する開口部２３ａを介して図柄表示装置１８の表示部を前側から視認し得るよう構成される。遊技盤２１には、前記案内レール２２で囲まれた遊技領域２１ａの略中央の大部分が開口する装着口(図示せず)に、前後に開口する開口部２４ａが形成された枠状装飾部材２４が取り付けられ、該枠状装飾部材２４の開口部２４ａを介して図柄表示装置１８の表示部が遊技盤２１の前面側に臨むよう構成されている。なお、実施例では、遊技盤２１に配設された枠状装飾部材２４の開口部２４ａが、図柄表示装置１８の表示部を前側から視認可能とする可視部となる。
【００１９】
前記遊技盤２１には、図４に示す如く、前記枠状装飾部材２４の下方に、遊技領域２１ａを流下するパチンコ球が入賞可能な第１始動入賞装置７０および特別入賞装置７１が配設される。実施例のパチンコ機１０では、前記枠状装飾部材２４における特別入賞装置７１の上方に位置に、遊技領域２１ａを流下するパチンコ球が入賞可能な第２始動入賞装置７２が配設されている。そして、第１始動入賞装置７０または第２始動入賞装置７２に遊技領域２１ａを流下するパチンコ球が入賞することで、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当り(当り)が発生し、大当りの発生に伴って前記特別入賞装置７１が開放して多数の賞球を獲得し得る機会が与えられるようになっている。
【００２０】
(設置部材２３について)
前記設置部材２３は、図５〜図７に示す如く、前記遊技盤２１の外郭形状と略整合する大きさおよび形状に形成された略矩形状の背面板(設置面部)２５と、該背面板２５の外周縁部から前方に突出する画壁部２６とから前方に開口した箱状に形成されて、該画壁部２６の開口前端部を遊技盤２１の裏面に当接させた状態で、当該遊技盤２１と設置部材２３とがネジ止め固定される。そして、前記設置部材２３において前記遊技盤２１との間に画成される空間に、複数の演出装置Ｍ１,Ｍ２,Ｍ３,Ｍ４が設置されて、設置部材２３を基材とする１つのユニットとして扱い得るようになっている。前記設置部材２３の背面板２５の裏側には、前記図柄表示装置１８の設置領域Ｓが矩形状に画成されると共に、該設置領域Ｓ内における前記枠状装飾部材２４の開口部２４ａと前後に整列する位置に、略矩形状の開口部２３ａが前後に開口するよう開設される。そして、設置領域Ｓに臨む背面板２５の裏面に、前記図柄表示装置１８における表示部の外周前面を当接した状態で、該図柄表示装置１８が着脱自在に取り付けられて、前記開口部２３ａ,２４ａを介して図柄表示装置１８の表示部が遊技盤２１の前側に臨むようになっている。なお、以下の説明では、設置部材２３の背面板２５について、開口部２３ａに対する上下左右の各部位を、上板部２５ａ,下板部２５ｂ,左板部２５ｃ,右板部２５ｄと指称して区別する場合もある。また、画壁部２６についても、開口部２３ａに対する上下左右の各部位を、上壁部２６ａ,下壁部２６ｂ,左壁部２６ｃ,右壁部２６ｄと指称して区別する場合もある。なお、実施例では、開口部２３ａを画成する左側の開口端縁(上下方向に延在する開口端縁)である第１の辺２５ｅの左方に臨む領域を左板部２５ｃ、開口部２３ａを画成する右側の開口端縁(上下方向に延在する開口端縁)である第１の辺２５ｅの右方に臨む領域を右板部２５ｄとすると共に、第１の辺２５ｅと交差する開口部２３ａを画成する上側の開口端縁(左右方向に延在する開口端縁)である第２の辺２５ｆを左右の壁部２６ｃ,２６ｄまで延長した線より上方に臨む領域を上板部２５ａ、第１の辺２５ｅと交差する開口部２３ａを画成する下側の開口端縁(左右方向に延在する開口端縁)である第２の辺２５ｆを左右の壁部２６ｃ,２６ｄまで延長した線より下方に臨む領域を下板部２５ｂとして説明する。
【００２１】
図５に示す如く、前記設置部材２３の上板部２５ａの裏面に第１中継基板２７が配設されると共に、下板部２５ｂの裏面に、前記制御装置に電気的に接続する第２中継基板２８が配設される。そして、設置部材２３や遊技盤２１の上部側に配設された各種演出装置Ｍ１,Ｍ３や照明装置等に接続されて設置部材２３の裏側に引き出された配線の一部は、前記第１中継基板２７に接続され、該第１中継基板２７に接続する中継配線を、前記左板部(一方の板部)２５ｃの裏側を上側から下側に引き回した後に第２中継基板２８に接続することで、各種演出装置Ｍ１,Ｍ３や照明装置等を制御装置に電気的に接続するよう構成される。なお、設置部材２３や遊技盤２１の上部側に配設された演出装置Ｍ１,Ｍ３や照明装置に接続する配線の一部は、前記第１中継基板２７を介することなく左板部２５ｃの裏側を上側から下側に引き回した後に第２中継基板２８に直接接続されるものもある。すなわち、実施例のパチンコ機１０では、設置部材２３における左板部２５ｃの裏側に、配線を引き回す経路を確保している。
【００２２】
ここで、前記背面板２５の裏側には、前記図柄表示装置１８を安定して取り付けるために、該図柄表示装置１８の前面を当接支持する所定広さの面部が必要となる。しかし、配線経路を確保する必要のある左板部２５ｃと配線経路を確保する必要のない右板部２５ｄの左右幅寸法を同じにすると、前記面部を確保するためには相対的に前記開口部２３ａの開口面積が小さくなってしまい、図柄表示装置１８の大型化に対応し得なくなる。そこで、実施例のパチンコ機１０では、配線経路を確保する必要のある左板部２５ｃの左右幅寸法に対して、右板部２５ｄの左右幅寸法を小さく設定することで、背面板２５の裏側に図柄表示装置１８の安定した支持を図り得る所定広さの面部を確保しつつ、大型の図柄表示装置１８に対応し得る大型の開口部２３ａを画成し得るよう構成してある。
【００２３】
(演出装置Ｍ１,Ｍ２,Ｍ３,Ｍ４について)
図６に示すように、前記設置部材２３の背面板２５における開口部２３ａの右側前面(右板部２５ｄの前面)に、上下の関係で第１演出装置Ｍ１および第２演出装置Ｍ２が配設されると共に、背面板２５における開口部２３ａの左側前面(左板部２５ｃの前面)に、上下の関係で第３演出装置Ｍ３および第４演出装置Ｍ４が配設されている。開口部２３ａの左右両側で上側に配設された第１演出装置Ｍ１と第３演出装置Ｍ３との基本的な構成、および下側に配設された第２演出装置Ｍ２と第４演出装置Ｍ４との基本的な構成は同じであるので、開口部２３ａの右側に配設された第１および第２演出装置Ｍ１,Ｍ２の構成につき詳細に説明し、開口部２３ａの左側に配設された第３および第４演出装置Ｍ３,Ｍ４の同じ機能を有する部材については同じ符号を付して詳細説明は省略する。また、第１演出部材Ｍ１に対して第３演出装置Ｍ３の異なる部分、および第２演出部材Ｍ２に対して第４演出装置Ｍ４の異なる部分については別途後述する。
【００２４】
(第１演出装置Ｍ１について)
前記第１演出装置Ｍ１は、図６に示す如く、前記背面板２５の前面における上板部２５ａの右隅部から右板部２５ｄにかけて配設されて、第１可動部材２９の支持基体となる第１基体３０を備える。この第１基体３０は、上板部２５ａの前面に重なる駆動系取付部３０ａと、該駆動系取付部３０ａから下方に延在して右板部２５ｄの前面に重なるガイド取付部３０ｂとを備え、両取付部３０ａ,３０ｂが対応する板部２５ａ,２５ｄにネジ止め固定されている。駆動系取付部３０ａに、前後方向に貫通する第１長孔(第２のガイド部)３１が形成されると共に、ガイド取付部３０ｂの下端部に、前記第１長孔３１と平行に延在する第１ガイド溝(ガイド部)３２が設けられており、第１基体３０に対して第１可動部材２９が、第１長孔３１および第１ガイド溝３２で案内されて背面板２５の前面に沿って往復移動自在に支持されている。前記第１長孔３１および第１ガイド溝３２は、右側から左側に向かうにつれて下方傾斜するように形成される。すなわち、第１基体３０には、上下方向(第１基体３０の長手方向)に離間して第１長孔３１と第１ガイド溝３２とが、背面板２５における開口部２３ａから離間する位置から該開口部２３ａに近接するにつれて下方傾斜するように延在し、第１長孔３１および第１ガイド溝３２で案内される第１可動部材２９は、斜めに平行移動するよう構成される。
【００２５】
前記駆動系取付部３０ａは、図６,図１２,図１５に示す如く、前記上板部２５ａにおける右端(右壁部２６ｄの接続部)から前記背面板２５に開設した前記開口部２３ａを画成する上側の開口端縁である前記第２の辺２５ｆの上側に臨む位置まで延在している。すなわち、駆動系取付部３０ａに形成される第１長孔３１は、背面板２５における右上隅部から前記開口部２３ａの上側に臨む位置まで延在し、右板部２５ｄの前側の第２位置に臨む前記第１可動部材２９が、後述する第１装飾体３８の略全体を開口部２３ａの前側に臨ませる位置(図１５に示す第１位置)に移動するまで該第１長孔３１で第１可動部材２９を案内支持し得るようになっている。
【００２６】
前記第１ガイド溝３２は、図１０に示す如く、ガイド取付部３０ｂの下端部に前後から取り付けられる前板３２ａおよび後板３２ｂによって、ガイド取付部３０ｂの前側において上方に開放するように形成される。また、前記第１基体３０のガイド取付部３０ｂにおける左端縁(開口部２３ａ側の端縁)は、前記開口部２３ａの第１の辺２５ｅに略整列するように位置すると共に、前記第１ガイド溝３２を形成する前板３２ａおよび後板３２ｂの左端部は、図１５に示す如く(図１５では前板３２ａのみ図示)、前記第１の辺２５ｅから開口部２３ａ側に所要長さだけ延出し、第１ガイド溝３２も第１の辺２５ｅから開口部２３ａ側に延在している。また、前板３２ａおよび後板３２ｂの右端部は、図１６に示す如く(図１６では前板３２ａのみ図示)、前記右壁部２６ｄの内側に近接して位置している。すなわち、第１基体３０に設けられる第１ガイド溝３２は、前記右板部２５ｄの前側において右壁部２６ｄの左側面に近接する位置から第１の辺２５ｅ(第１基体３０の左端)を越えて開口部２３ａの前側に臨む位置までの間に亘り、第１の辺２５ｅと交差する方向に延在するよう構成してある。なお、前板３２ａおよび後板３２ｂの対向面には、図１０に示す如く、第１ガイド溝３２に沿って延在する突条３２ｃ,３２ｃが対向して設けられ、第１可動部材２９の後述する第１被ガイド部４３を両突条３２ｃ,３２ｃによって前後から支持し得るよう構成される。
【００２７】
前記第１基体３０の駆動系取付部３０ａに、第１モータ取付部材３３が前側から取り付けられると共に、該第１モータ取付部材３３と駆動系取付部３０ａとの間に画成される空間内に、駆動系取付部３０ａおよび第１モータ取付部材３３間に回転自在に支持された第１駆動歯車３５および該第１駆動歯車３５に噛合する第１従動歯車３６が臨んでいる。第１モータ取付部材３３の前面に第１駆動モータ(駆動手段)３４が配設され、該第１駆動モータ３４が第１駆動歯車３５に接続されている。なお、第１モータ取付部材３３と駆動系取付部３０ａとの間の空間は、図１０に示す如く下方に開放し、前記第１可動部材２９の後述する第１ラック３７ａが該空間に臨んで第１従動歯車３６に噛合可能に構成される。
【００２８】
前記第１基体３０の前側を移動自在に支持される前記第１可動部材２９は、図８,図１０に示す如く、上下方向に延在する板状の第１移動体３７と、該第１移動体３７の前側に配設された装飾体３８と、該第１移動体３７に配設された第１発光基板３９,３９とを基本的に備える。第１移動体３７の上端部(長手方向の他端部側)に、左右方向に離間して一対の第１ローラ(第２の被ガイド部)４０,４０が回転自在に配設され、両第１ローラ４０,４０が前記第１長孔３１に前側から挿入されて、両第１ローラ４０,４０が第１長孔３１内を転動可能に構成される。なお、一対の第１ローラ４０,４０は、第１基体３０の裏側から該第１ローラ４０,４０を支持する支持材４１によって、第１長孔３１からの抜け止めがなされている。また、第１移動体３７と一体的に移動する前記支持材４１には、上方に突出する検出片４１ａが設けられ、該検出片４１ａが第１基体３０に配設された第１検出手段４２によって検出可能に構成されている。
【００２９】
図８,図１４に示す如く、前記第１移動体３７の下端部(長手方向の一端部側)には、左右方向に延在する板状の第１被ガイド部(被ガイド部)４３が設けられており、該第１被ガイド部４３が、前記第１基体３０の第１ガイド溝３２に摺動自在に係合するよう構成される。すなわち、第１可動部材２９は、第１移動体３７の上端部に設けた第１ローラ４０,４０および下端部に設けた第１被ガイド部４３を、第１基体３０の対応する第１長孔３１および第１ガイド溝３２に係合した状態で、該第１長孔３１および第１ガイド溝３２に沿って斜めに直線的に往復移動するように第１基体３０に支持されている。また、第１移動体３７の上端部には、左右方向に延在するように第１ラック３７ａが形成されており、該第１ラック３７ａが前記第１従動歯車３６に噛合している。そして、前記第１駆動モータ３４を正転および逆転することで、第１可動部材２９は、前記設置部材２３の開口部２３ａ(枠状装飾部材２４の開口部２４ａ)に臨む第１位置(図４,図１５,図１６参照)および開口部２３ａ(開口部２４ａ)の中央から第１位置より離れる第２位置(図６,図１２,図１３参照)の間を直線的に往復移動するよう構成される。実施例では、第１位置において第１移動体３７の前側に配設された前記第１装飾体３８の略全体が開口部２３ａの前側に臨むと共に、第２位置では第１移動体３７の全体が前記右板部２５ｄおよび上板部２５ａの前側に重なるように設定されている。すなわち、第１可動部材２９が第２位置に位置する状態では、図３に示す如く、前記枠状装飾部材２４の開口部２４ａから露出することなく枠状装飾部材２４の裏側に第１可動部材２９が隠れており、該第１可動部材２９が第１位置に移動することで、図４に示す如く、枠状装飾部材２４の開口部２４ａに第１可動部材２９が露出するようになっている。なお、前記支持材４１に設けた検出片４１ａは、第２位置において第１検出手段４２で検出されて、該第１検出手段４２の検出信号に基づいて前記制御装置が第１駆動モータ３４を停止制御することで、第１可動部材２９を第２位置に停止保持し得るようになっている。
【００３０】
前記第１移動体３７の前側に配設される第１装飾体３８は、前面に所要の意匠が施されたものであって、左右方向の幅寸法は第１移動体３７の幅寸法より大きく設定されて、該第１装飾体３８で第１移動体３７を隠すよう構成してある。第１装飾体３８には、図８に示す如く、前後方向に貫通する開口３８ａが開設され、該開口３８ａは、第１装飾体３８の裏側に配設された透光性を有する第１カバー体４４で塞がれている。また、第１カバー体４４の裏側に第１レンズ体４５が配設される。前記第１移動体３７には、第１装飾体３８の開口３８ａと対応する位置に複数の通孔３７ｂが前後方向に貫通するように形成されて、該第１移動体３７の裏側に配設した第１発光基板３９の前面に実装したＬＥＤ等の発光体３９ａが、各通孔３７ｂから開口３８ａに臨むよう構成される。また、第１カバー体４４には、第１装飾体３８の下端から下方に突出する突出部４４ａが設けられ、該突出部４４ａに複数の通孔４４ｂが前後方向に貫通するように形成されている。この突出部４４ａの前側に、透光性を有する第１光装飾体４６が配設されると共に、該突出部４４ａの裏側には、各通孔４４ｂと対応する位置にＬＥＤ等の発光体３９ａを実装した第１発光基板３９が配設されている。すなわち、第１演出装置Ｍ１では、各第１発光基板３９の発光体３９ａを発光させることで、第１カバー体４４、第１レンズ体４５および第１光装飾体４６を裏側から照らして光による装飾を行ない得るよう構成される。
【００３１】
前記第１被ガイド部４３における右端部(第１可動部材２９の移動方向の第２位置側の端部、すなわち開口部２３ａの中央から離間する側の端部)４３ａは、図１２,図１３に示す如く、前記第１装飾体３８および第１光装飾体４６の右端縁(第１可動部材２９の移動方向の第２位置側の端縁、すなわち開口部２３ａの中央から離間する側の端縁)から右方(外方)に所定長さだけ延出している。そして、第１可動部材２９を第１位置に移動した状態において、図１５,図１６に示す如く、第１装飾体３８および第１光装飾体４６の右端縁が、前記開口部２３ａを画成する第１の辺２５ｅより中央側(開口部２３ａの前側)に臨んだ状態で、第１被ガイド部４３の延出端部４３ａが、前記第１ガイド溝３２に係合した状態を維持するよう構成される。
【００３２】
(第２演出装置Ｍ２について)
前記第２演出装置Ｍ２の基本的な構成は、前記第１演出装置Ｍ１と上下対称である。すなわち、第２演出装置Ｍ２は、図６に示す如く、前記背面板２５の前面における下板部２５ｂの右隅部から右板部２５ｄにかけて配設されて、第２可動部材４７の支持基体となる第２基体４８を備える。この第２基体４８は、下板部２５ｂの前面に重なる駆動系取付部４８ａと、該駆動系取付部４８ａから上方に延在して右板部２５ｄの前面に重なるガイド取付部４８ｂとを備え、両取付部４８ａ,４８ｂが対応する板部２５ｂ,２５ｄにネジ止め固定されるようになっている。駆動系取付部４８ａに、前後方向に貫通する第２長孔(第２のガイド部)４９が形成されると共に、ガイド取付部４８ｂの上端部に、前記第２長孔４９と平行に延在する第２ガイド溝(ガイド部)５０が設けられており、第２基体４８に対して第２可動部材４７が、第２長孔４９および第２ガイド溝５０で案内されて背面板２５の前面に沿って往復移動自在に支持されている。前記第２長孔４９および第２ガイド溝５０は、右側から左側に向かうにつれて下方傾斜するように形成される。すなわち、第２基体４８には、上下方向(第２基体４８の長手方向)に離間して第２長孔４９と第２ガイド溝５０とが、背面板２５における開口部２３ａから離間する位置から該開口部２３ａに近接するにつれて下方傾斜するように延在し、第２長孔４９および第２ガイド溝５０で案内される第２可動部材４７は、斜めに平行移動するよう構成される。このように、実施例のパチンコ機１０では、設置部材２３における開口部２３ａの右側において上下の関係で配設された第１演出装置Ｍ１および第２演出装置Ｍ２の各可動部材２９,４７は、同じ向きで斜めに平行移動するよう構成される。
【００３３】
前記駆動系取付部４８ａは、図６,図１２,図１５に示す如く、前記下板部２５ｂにおける右端(右壁部２６ｄの接続部)から前記背面板２５に開設した前記開口部２３ａを画成する下側の開口端縁である前記第２の辺２５ｆの下側に臨む位置まで延在している。すなわち、駆動系取付部４８ａに形成される第２長孔４９は、背面板２５における右下隅部から前記開口部２３ａの下側に臨む位置まで延在し、右板部２５ｄの前側の第２位置に臨む前記第２可動部材４７が、後述する第２装飾体５６の略全体を開口部２３ａの前側に臨ませる位置(図１５に示す第１位置)に移動するまで該第２長孔４９で第２可動部材４７を案内支持し得るようになっている。
【００３４】
前記第２ガイド溝５０は、図１１に示す如く、ガイド取付部４８ｂの上端部に前後から取り付けられる前板５０ａおよび後板５０ｂによって、ガイド取付部４８ｂの前側において下方に開放するように形成される。また、前記第２基体４８のガイド取付部４８ｂにおける左端縁(開口部２３ａ側の端縁)は、前記開口部２３ａの第１の辺２５ｅに略整列するように位置すると共に、前記第２ガイド溝５０を形成する前板５０ａおよび後板５０ｂの左端部は、図１４および図１５に示す如く(図１５では前板５０ａのみ図示)、前記第１の辺２５ｅから開口部２３ａ側に所要長さだけ延出し、第２ガイド溝５０も第１の辺２５ｅから開口部２３ａ側に延在している。また、前板５０ａおよび後板５０ｂの右端部は、前記右壁部２６ｄの内側に近接して位置している。すなわち、第２基体４８に設けられる第２ガイド溝５０は、前記右板部２５ｄの前側において右壁部２６ｄの左側面に近接する位置から第１の辺２５ｅ(第２基体４８の左端)を越えて開口部２３ａの前側に臨む位置までの間に亘り、第１の辺２５ｅと交差する方向に延在するよう構成してある。なお、前板５０ａおよび後板５０ｂの対向面には、図１１に示す如く、第２ガイド溝５０に沿って延在する突条５０ｃ,５０ｃが対向して設けられ、第２可動部材４７の後述する第２被ガイド部６１を両突条５０ｃ,５０ｃによって前後から支持し得るよう構成される。
【００３５】
前記第２基体４８の駆動系取付部４８ａに、第２モータ取付部材５１が前側から取り付けられると共に、該第２モータ取付部材５１と駆動系取付部４８ａとの間に画成される空間内に、駆動系取付部４８ａおよび第２モータ取付部材５１間に回転自在に支持された第２駆動歯車５３および該第２駆動歯車５３に噛合する複数(実施例では２個)の第２従動歯車５４が臨んでいる。第２モータ取付部材５１の前面に第２駆動モータ(駆動手段)５２が配設され、該第２駆動モータ５２が第２駆動歯車５３に接続されている。なお、第２モータ取付部材５１と駆動系取付部４８ａとの間の空間は、図１１に示す如く下方に開放し、前記第２可動部材４７の後述する第２ラック５５ａが該空間に臨んで第２従動歯車５４に噛合可能に構成される。
【００３６】
前記第２基体４８の前側を移動自在に支持される前記第２可動部材４７は、図９,図１１に示す如く、上下方向に延在する板状の第２移動体５５と、該第２移動体５５の前側に配設された第２装飾体５６と、該第２移動体５５に配設された第２発光基板５７,５７とを基本的に備える。第２移動体５５の下端部(長手方向の他端部側)に、左右方向に離間して一対の第２ローラ(第２の被ガイド部)５８,５８が回転自在に配設され、両第２ローラ５８,５８が前記第２長孔４９に前側から挿入されて、両第２ローラ５８,５８が第２長孔４９内を転動可能に構成される。なお、一対の第２ローラ５８,５８は、第２基体４８の裏側から該第２ローラ５８,５８を支持する支持材５９によって、第２長孔４９からの抜け止めがなされている。また、第２移動体５５と一体的に移動する支持材５９には、下方に突出する検出片５９ａが設けられ、該検出片５９ａが第２基体４８に配設された第２検出手段６０によって検出可能に構成されている。
【００３７】
図９,図１４に示す如く、前記第２移動体５５の上端部(長手方向の一端部側)には、左右方向に延在する板状の第２被ガイド部(被ガイド部)６１が設けられており、該第２被ガイド部６１が、前記第２基体４８の第２ガイド溝５０に摺動自在に係合するよう構成される。すなわち、第２可動部材４７は、第２移動体５５の下端部に設けた第２ローラ５８,５８および上端部に設けた第２被ガイド部６１を、第２基体４８の対応する第２長孔４９および第２ガイド溝５０に係合した状態で、該第２長孔４９および第２ガイド溝５０に沿って斜めに直線的に往復移動するように第２基体４８に支持されている。また、第２移動体５５の下端部には、左右方向に延在するように第２ラック５５ａが形成されており、該第２ラック５５ａが前記第２駆動歯車５３から離間する側の第２従動歯車５４に噛合している。そして、前記第２駆動モータ５２を正転および逆転することで、第２可動部材４７は、前記設置部材２３の開口部２３ａ(枠状装飾部材２４の開口部２４ａ)に臨む第１位置(図４,図１５,図１６参照)および開口部２３ａ(開口部２４ａ)の中央から第１位置より離れる第２位置(図６,図１２,図１３参照)の間を直線的に往復移動するよう構成される。実施例では、第１位置において第２移動体５５の前側に配設された前記第２装飾体５６の略全体が開口部２３ａの前側に臨むと共に、第２位置では第２移動体５５の全体が前記右板部２５ｄおよび下板部２５ｂの前側に重なるように設定されている。すなわち、第２可動部材４７が第２位置に位置する状態では、図３に示す如く、前記枠状装飾部材２４の開口部２４ａから露出することなく枠状装飾部材２４の裏側に第２可動部材４７が隠れており、該第２可動部材４７が第１位置に移動することで、図４に示す如く、枠状装飾部材２４の開口部２４ａに第２可動部材４７が露出するようになっている。なお、前記支持材５９に設けた検出片５９ａは、第２位置において第２検出手段６０で検出されて、該第２検出手段６０の検出信号に基づいて前記制御装置が第２駆動モータ５２を停止制御することで、第２可動部材４７を第２位置に停止保持し得るようになっている。
【００３８】
ここで、前記第１演出装置Ｍ１の駆動系では、第１駆動歯車３５に直接噛合する第１従動歯車３６が第１ラック３７ａに上側から噛合すると共に、第２演出装置Ｍ２の駆動系では、第２駆動歯車５３に噛合する第２従動歯車５４に噛合する別の第２従動歯車５４が第２ラック５５ａに下側から噛合するよう構成してある。この構成によって、第１可動部材２９および第２可動部材４７を対応する駆動モータ３４,５２で移動させる際に、両駆動モータ３４,５２の回転方向を統一することができるようになっている。すなわち、実施例では、両駆動モータ３４,５２を正面視において時計方向に回転駆動すると、両可動部材２９,４７は第１位置から第２位置へ移動し、両駆動モータ３４,５２を正面視において反時計方向に回転駆動すると、両可動部材２９,４７は第２位置から第１位置へ移動する。なお、駆動モータ３４,５２の回転方向について、可動部材２９,４７を第２位置から第１位置へ移動させる方向を正転方向、可動部材２９,４７を第１位置から第２位置へ移動させる方向を逆転方向と指称する場合もある。
【００３９】
前記第２移動体５５の前側に配設される第２装飾体５６は、前面に所要の意匠が施されたものであって、左右方向の幅寸法は第２移動体５５の幅寸法より大きく設定されて、該第２装飾体５６で第２移動体５５を隠すよう構成してある。第２装飾体５６には、図９に示す如く、前後方向に貫通する開口５６ａが上下に離間する２箇所に開設され、両開口５６ａ,５６ａは、第２装飾体５６の裏側に配設された透光性を有する第２カバー体６２で塞がれている。また、第２カバー体６２の裏側に第２レンズ体６３が配設される。前記第２移動体５５には、第２装飾体５６の両開口５６ａ,５６ａと対応する位置に複数の通孔５５ｂが前後方向に貫通するように形成されて、該第２移動体５５の裏側に配設した第２発光基板５７の前面に実装したＬＥＤ等の発光体５７ａが、各通孔５５ｂから両開口５６ａ,５６ａに臨むよう構成される。また、第２カバー体６２には、第２装飾体５６の下端から下方に突出する突出部６２ａが設けられ、該突出部６２ａに複数の通孔６２ｂが前後方向に貫通するように形成されている。この突出部６２ａの前側に、透光性を有する第２光装飾体６４が配設されると共に、該突出部６２ａの裏側には、各通孔６２ｂと対応する位置にＬＥＤ等の発光体５７ａを実装した第２発光基板５７が配設されている。すなわち、第２演出装置Ｍ２では、各第２発光基板５７の発光体５７ａを発光させることで、第２カバー体６２、第２レンズ体６３および第２光装飾体６４を裏側から照らして光による装飾を行ない得るよう構成される。
【００４０】
前記第２被ガイド部６１における右端部(第２可動部材４７の移動方向の第２位置側の端部、すなわち開口部２３ａの中央から離間する側の端部)６１ａは、図１２に示す如く、前記第２装飾体５６および第２光装飾体６４の右端縁(第２可動部材４７の移動方向の第２位置側の端縁、すなわち開口部２３ａの中央から離間する側の端縁)から右方(外方)に所定長さだけ延出している。そして、第２可動部材４７を第１位置に移動した状態において、図１５に示す如く、第２装飾体５６および第２光装飾体６４の右端縁が、前記開口部２３ａを画成する第１の辺２５ｅより中央側(開口部２３ａの前側)に臨んだ状態で、第２被ガイド部６１の延出端部６１ａが、前記第２ガイド溝５０に係合した状態を維持するよう構成される。
【００４１】
また、前記第１可動部材２９および第２可動部材４７を何れも第１位置に位置した状態では、図１５に示す如く、第１可動部材２９の下端に位置する第１光装飾体４６の下面と、第２可動部材４７の上端に位置する第２光装飾体６４の上面とが近接状態で対向すると共に、第１可動部材２９および第２可動部材４７を何れも第２位置に位置した状態では、図１２に示す如く、第１可動部材２９の第１光装飾体４６の下面と、第２可動部材４７の第２光装飾体６４の上面とが近接状態で対向するよう構成される。
【００４２】
(第３,第４演出装置Ｍ３,Ｍ４について)
前記第３演出装置Ｍ３および第４演出装置Ｍ４の構成について、前記第１演出装置Ｍ１および第２演出装置Ｍ２と異なる部分について説明する。なお、第３および第４演出装置Ｍ３,Ｍ４の構成を説明するに際し、第１および第２演出装置Ｍ１,Ｍ２で説明した部材と対応する当該第３および第４演出装置Ｍ３,Ｍ４の部材については、名称の前に「第３」，「第４」を付して区別する。
【００４３】
前記第１演出装置Ｍ１の第１可動部材２９および第２演出装置Ｍ２の第２可動部材４７は、第２位置から第１位置に向けて斜め下向きに移動するのに対し、第３演出装置Ｍ３の第３可動部材２９および第４演出装置Ｍ４の第４可動部材４７は、第２位置から第１位置に向けて斜め上向きに移動するよう構成されている。すなわち、第３可動部材２９を案内支持する第３長孔３１と第３ガイド溝３２および第４可動部材４７を案内支持する第４長孔４９と第４ガイド溝５０は、何れも左側から右側に向けて上方傾斜するように形成されている(図６では第３および第４長孔３１,４９のみ図示)。また、前記第１可動部材２９と第２可動部材４７とでは、上側に位置する第１可動部材２９の第１装飾体３８に１つの開口３８ａを開設すると共に、下側に位置する第２可動部材４７の第２装飾体５６に２つの開口５６ａ,５６ａを開設したが、第３可動部材２９と第４可動部材４７では、上側に位置する第３可動部材２９の第３装飾体３８に２つの開口３８ａ,３８ａを開設すると共に、下側に位置する第４可動部材４７の第４装飾体５６に１つの開口５６ａを開設している。
【００４４】
(設置部材２３の退避口６５について)
前記設置部材２３の右壁部(第１および第２可動部材２９,４７における第２位置側の端縁に対向する壁部、すなわち開口部２３ａの中央から離間する側の端縁に対向する壁部)２６ｄには、図１３〜図１６に示す如く、前記第１可動部材２９および第２可動部材４７の両被ガイド部４３,６１における延出端部４３ａ,６１ａに対応する位置に、左右方向に貫通する退避口６５が形成されている。そして、第１および第２可動部材２９,４７が第２位置に位置する状態で、前記被ガイド部４３,６１の延出端部４３ａ,６１ａが退避口６５に臨むよう構成される。なお、前記右板部２５ｄは、退避口６５に対応する部分が切欠かれて、退避口６５に連なる凹部が画成されている。また、退避口６５の上下方向の開口寸法は、両被ガイド部４３,６１における延出端部４３ａ,６１ａが一度に挿通可能な大きさに設定されている。
【００４５】
前記第１および第２可動部材２９,４７は、図１４に示す如く、前記第２位置では前記被ガイド部材４３,６１の延出端部４３ａ,６１ａが退避口６５に挿通された状態で、右端縁(第２位置側の端縁、すなわち開口部２３ａから離間する側の端縁)が右壁部２６ｄに近接すると共に、両可動部材２９,４７の略全体が前記右板部２５ｄおよび上下の板部２５ａ,２５ｂの前側に重なるよう構成される。
【００４６】
なお、実施例のパチンコ機１０では、前記第３および第４可動部材２９,４７を第２位置に移動して該可動部材２９,４７の略全体が前記枠状装飾部材２４の開口部２４ａから露出することなく枠状装飾部材２４の裏側に隠れる状態で、前記被ガイド部材４３,６１の延出端部４３ａ,６１ａが左壁部２６ｃに干渉しないよう構成されている。すなわち、実施例のパチンコ機１０では、第２位置に移動した可動部材２９,４７の延出端部４３ａ,６１ａと左壁部２６ｃとの干渉を回避する必要のない構成となっているので、該左壁部２６ｃには延出端部４３ａ,６１ａの挿通を許容する退避口は形成されていない。
【００４７】
〔実施例の作用〕
次に、前述した実施例に係るパチンコ機の作用につき説明する。
【００４８】
前記前枠１３の前面側に設けられた前記操作ハンドル１７の操作レバー１７ａを遊技者が回転操作すると、前記打球発射装置１６から発射されたパチンコ球が前記遊技盤２１の遊技領域２１ａ内に打ち出される。この遊技領域２１ａに打ち出されたパチンコ球は、前記枠状装飾部材２４の外周囲を流下し、該パチンコ球が前記第１始動入賞装置７０または第２始動入賞装置７２に入賞すると、前記図柄表示装置１８の図柄が変動開始され、所要の図柄組合わせゲームが展開される。前記図柄表示装置１８で展開される図柄変動ゲームの結果、図柄表示装置１８の表示部に所定の図柄組合わせで図柄が停止表示されたときに大当りが発生する。そして、大当りが発生すると、図柄表示装置１８の表示部に表示された図柄組み合わせに応じて、前記遊技盤２１の下方に設けられた特別入賞装置７１の特別入賞口が開放され、遊技者は多くの賞球が獲得可能となる。
【００４９】
前記図柄表示装置１８で展開される図柄変動ゲームの演出に応じて、前記演出装置Ｍ１,Ｍ２,Ｍ３,Ｍ４の各可動部材２９,４７,２９,４７が作動されて動的な演出により遊技の興趣が高められる。また、各可動部材２９,４７,２９,４７に配設された各発光基板３９,５７の発光体３９ａ,５７ａや遊技盤２１に配設されている他の各種照明装置等も、図柄変動ゲームの演出に応じて発光したり点滅するよう制御されて、光による演出により遊技の興趣が高められる。
【００５０】
前記第１および第２演出装置Ｍ１,Ｍ２の各可動部材２９,４７が第２位置に位置する状態では、図３に示す如く、前記枠状装飾部材２４の開口部２４ａの右側において、各可動部材２９,４７の略全体が枠状装飾部材２４および遊技盤２１の裏側に隠れている。この状態から前記第１駆動モータ３４を正転方向に回転するように駆動すると、前記第１従動歯車３６と第１ラック３７ａとの噛合作用下に、第１可動部材２９は、第１ローラ４０,４０および第１被ガイド部４３が、対応する第１長孔３１および第１ガイド溝３２に係合案内されて左斜め下方に向けて移動する。そして、第１駆動モータ３４が予め設定された回転数(パルス数)だけ回転すると、前記制御装置により第１駆動モータ３４が停止制御され、前記第１可動部材２９は、図４に示す如く、前記枠状装飾部材２４における開口部２４ａに露出する中央側の第１位置で停止する。同様に、前記第２駆動モータ５２を正転方向に回転するように駆動すると、前記第２従動歯車５４と第２ラック５５ａとの噛合作用下に、第２可動部材４７は、第２ローラ５８,５８および第２被ガイド部６１が、対応する第２長孔４９および第２ガイド溝５０に係合案内されて左斜め下方に向けて移動する。そして、第２駆動モータ５２が予め設定された回転数(パルス数)だけ回転すると、前記制御装置により第２駆動モータ５２が停止制御され、前記第２可動部材４７は、図４に示す如く、前記枠状装飾部材２４における開口部２４ａに露出する中央側の第１位置で停止する。
【００５１】
ここで、前記第１および第２演出装置Ｍ１,Ｍ２では、図１５,図１６に示す如く、各被ガイド部４３,６１の右端部(延出端部４３ａ,６１ａ)は、対応する装飾体３８,５６の右端縁から右方に延出している。すなわち、第１および第２演出装置Ｍ１,Ｍ２では、各可動部材２９,４７を装飾体３８,５６の右端縁が第１の辺２５ｅから左方、すなわち開口部２４ａの前側に臨む位置まで移動しても、各可動部材２９,４７の被ガイド部４３,６１を対応するガイド溝３２,５０で支持することができるようになっている。言い替えれば、各可動部材２９,４７の被ガイド部４３,６１を対応するガイド溝３２,５０で支持する状態を維持したまま、該可動部材２９,４７を前記枠状装飾部材２４の開口部２４ａの中央側により大きく露出させる位置まで移動することができ、インパクトのある演出を行ない得る。更に、実施例のパチンコ機１０では、被ガイド部４３,６１を係合案内するガイド溝３２,５０についても、右板部２５ｄの第１の辺２６ｅから左方(開口部２３ａ側)に所要長さ延在するよう構成しているので、被ガイド部４３,６１とガイド溝３２,５０との係合支持状態を維持したまま、各可動部材２９,４７をより開口部２３ａの中央側に寄った位置まで移動させることができ、よりインパクトのある演出を行なうことができる。また、各可動部材２９,４７は、長手方向の両端部が支持された状態で移動するので、該可動部材２９,４７を大型化しても安定した移動を達成し得る。
【００５２】
前記第１および第２演出装置Ｍ１,Ｍ２の各可動部材２９,４７が第１位置に位置する状態から各駆動モータ３４,５２を逆転方向に回転するように駆動すると、対応する従動歯車３６,５４とラック３７ａ,５５ａとの噛合作用下に、各可動部材２９,４７は、ローラ４０,５８および被ガイド部４３,６１が、対応する長孔３１,４９およびガイド溝３２,５０に係合案内されて右斜め上方に向けて移動する。そして、前記検出手段４２,６０が検出片４１ａ,５９ａを検出すると、前記制御装置により各駆動モータ３４,５２が停止制御され、各可動部材２９,４７は第２位置で停止する。
【００５３】
前記設置部材２３の右壁部２６ｄには、第１および第２演出装置Ｍ１,Ｍ２の各可動部材２９,４７が第２位置に位置する状態で前記各被ガイド部４３,６１の延出端部４３ａ,６１ａと対応する位置に退避口６５が形成されており、各可動部材２９,４７が第２位置に移動した際には、図１２〜図１４に示す如く、該退避口６５に各被ガイド部４３,６１の延出端部４３ａ,６１ａを挿通し得るよう構成してある。従って、各可動部材２９,４７については、前記装飾体３８,５６の右端縁を右壁部２６ｄの内面(左側面)に近接する位置まで移動させることができる。これにより、第２位置まで移動した各可動部材２９,３７は、図３に示す如く、前記枠状装飾部材２４および遊技盤２１の裏側に略全体を隠すことができ、前記図柄表示装置１８の表示部を前側に臨ませる枠状装飾部材２４の開口部２４ａにおける表示部が実際に前側に臨む有効可視領域を大きく確保し得る。すなわち、右壁部２６ｄと被ガイド部４３,６１の延出端部４３ａ,６１ａとが干渉することで、装飾体３８,５６の左端部が枠状装飾部材２４の開口部２４ａの右開口端縁から左方に大きく突出した状態で位置規制されてしまうことはなく、開口部２４ａの有効可視領域を狭めるのを防ぐことができる。
【００５４】
実施例の第１および第２演出装置Ｍ１,Ｍ２では、可動部材２９,４７の被ガイド部４３,６１を装飾体３８,５６の右端縁から延出することで、該被ガイド部４３,６１がガイド溝３２,５０に係合案内された状態で移動可能な範囲を稼ぐようにしている。従って、実施例のように前記図柄表示装置１８の大型化に対応するべく、設置領域Ｓに取り付けられる図柄表示装置１８の安定した支持を図りつつ設置部材２３に大きな開口部２３ａを開設するために右板部２５ｄの左右方向の幅寸法を小さくした場合において、該右板部２５ｄ(具体的には基体３０,４８)に設けられるガイド溝３２,５０の左右方向(可動部材２９,４７の移動方向)の長さが制限されていても、可動部材２９,４７を安定して移動させる範囲を大きくすることができる。言い替えるなら、短かいガイド溝３２,５０しか設けられない部位であっても、可動部材２９,４７の安定した移動を確保しつつ移動範囲を大きくすることができるので、インパクトのある大きな動作が可能な可動部材２９,４７の配設位置の自由度が高く、興趣のある演出が可能となる。
【００５５】
ここで、前記第１の辺２５ｅから開口部２３ａ側にガイド溝３２,５０を大きく延在させることで、可動部材２９,４７の移動範囲を大きくすることは可能であるが、この場合には可動部材２９,４７が第２位置に移動した際に、ガイド溝３２,５０を画成する部材３２ａ,３２ｂ,５０ａ,５０ｂが前記枠状装飾部材２４の開口部２４ａに露出して見栄えが低下してしまう。これに対し、実施例のパチンコ機１０のように可動部材２９,４７に設けられる被ガイド部４３,６１を可動部材２９,４７における第２位置側の端縁(開口部２３ａの中央から離間する側の端縁)から延出する構成を採用することで、可動部材２９,４７が第２位置に移動した際にガイド溝３２,５０が枠状装飾部材２４の開口部２４ａから露出して見栄を低下させてしまうことはなく、遊技の興趣を高めることができる。
【００５６】
前記第３および第４演出装置Ｍ３,Ｍ４においては、各駆動モータ３４,５２を正転および逆転方向に回転駆動することで、対応する可動部材２９,４７は、前記枠状装飾部材２４における開口部２４ａの左側の第２位置と該開口部２４ａの中央側(図柄表示装置１８の表示部中央側)の第１位置との間を往復移動する。そして、開口部２４ａの左右両側に配設された４つの演出装置Ｍ１,Ｍ２,Ｍ３,Ｍ４の各可動部材２９,４７,２９,４７を第１位置まで移動すると、図４に示す如く、開口部２４ａの左右両側から可動部材２９,４７,２９,４７が中央部側に寄った位置まで大きく露出するので、可動部材２９,４７,２９,４７が移動した際のインパクトを高めることができ、興趣を向上し得る。
【００５７】
(変更例)
なお、遊技機の構成としては、実施例のものに限らず、種々の変更が可能である。
(１) 実施例では、設置部材に設けた開口部の右側に配設される演出装置における可動部材の被ガイド部の右端に設けた延出端部が挿通可能な退避口を、対応する右壁部に形成した場合で説明したが、左側に配設される演出装置における可動部材の被ガイド部の左端に設けた延出端部が挿通可能な退避口を、対応する左壁部に形成する構成を採用し得る。
(２) 実施例では、設置部材の開口部を挟む左右両側に演出装置を配設して、可動部材を第１の辺と交差する斜め方向に往復移動する場合で説明したが、該開口部を挟む上下両側または片側に演出装置を配設して、該演出装置の可動部材を第２の辺と交差する方向に往復移動する構成を採用することができ、この構成では可動部材が開口部から離間する第２位置に移動した際に被ガイド部の延出端部が挿通可能な退避口を対応する壁部に設ければよい。
(３) 実施例では、設置部材に４つの演出装置を配設した場合で説明したが、演出装置の数は１つ,２つ,３つまたは５つ以上であってもよい。
(４) 実施例では、可動部材を斜めに往復移動するよう構成したが、水平に往復移動するようにしたものであってもよい。なお、可動部材を設置部材の上板部や下板部に配置する構成であれば、鉛直方向であってもよい。すなわち、可動部材の往復移動方向は、当該可動部材が配置される板部における開口部を画成する端縁(辺)と交差する方向であればよい。
(５) 実施例では、ガイド部をガイド溝で構成すると共に被ガイド部を板状体で構成した場合で説明したが、可動部材側にガイド溝を形成すると共に、該ガイド溝に係合する突条を基体側(設置部材側)に設ける等、可動部材を直線的に係合案内し得る構成であればガイド部および被ガイド部の構成は公知の各種構成を採用可能である。
(６) 実施例では、第２のガイド部を長孔で構成すると共に第２の被ガイド部をローラで構成した場合で説明したが、可動部材側に長孔を形成すると共に、該長孔内に転動可能に臨むローラを基体側(設置部材側)に設ける等、可動部材を直線的に案内し得る構成であれば第２のガイド部および第２の被ガイド部の構成は公知の各種構成を採用可能である。
(７) 実施例では、設置部材に対して基体を介して可動部材を移動自在に配設するよう構成したが、設置部材に直に可動部材を移動自在に配設する構成を採用でき、この構成では設置部材に可動部材の長手方向両端部に設けた被ガイド部を係合案内し得るガイド部を設ければよい。
(８) 実施例では、駆動モータの回転を歯車とラックとを介して可動部材に伝えて直線的に往復移動するよう構成したが、駆動モータの回転を可動部材に伝える機構は、歯車とラックとを用いた機構に限定されるものでなく、リンク手段やベルト、その他各種公知の機構を採用し得る。
(９) 実施例では、駆動手段として駆動モータを用いたが、リニアアクチュエータを用いることができる。
(１０) 実施例では、遊技盤を木材板で形成したが、これに限られるものではなく、遊技盤を合成樹脂材から透明または不透明に形成するようにしてもよい。
(１１) 実施例では、遊技機としてパチンコ機を例示して説明したが、これに限られるものではなく、アレンジボール機やピンボール機、スロットマシン機等の各種遊技機を採用し得る。
【符号の説明】
【００５８】
１８ 図柄表示装置
２１ 遊技盤
２１ａ 遊技領域
２３ 設置部材
２３ａ 開口部
２４ａ 開口部(可視部)
２５ 背面板(設置面部)
２５ｅ 第１の辺
２５ｆ 第２の辺
２６ｄ 右壁部(壁部)
２９ 第１可動部材(可動部材)
３１ 第１長孔(第２のガイド部)
３２ 第１ガイド溝(ガイド部)
３４ 第１駆動モータ(駆動手段)
４０ 第１ローラ(第２の被ガイド部)
４３ 第１被ガイド部(被ガイド部)
４３ａ 延出端部
４７ 第２可動部材(可動部材)
４９ 第２長孔(第２のガイド部)
５０ 第２ガイド溝(ガイド部)
５２ 第２駆動モータ(駆動手段)
５８ 第２ローラ(第２の被ガイド部)
６１ 第２被ガイド部(被ガイド部)
６１ａ 延出端部
６５ 退避口
Ｍ１ 第１演出装置(演出装置)
Ｍ２ 第２演出装置(演出装置)
【図１】
2014023879.tif 000003
【図２】
2014023879.tif 000004
【図３】
2014023879.tif 000005
【図４】
2014023879.tif 000006
【図５】
2014023879.tif 000007
【図６】
2014023879.tif 000008
【図７】
2014023879.tif 000009
【図８】
2014023879.tif 000010
【図９】
2014023879.tif 000011
【図１０】
2014023879.tif 000012
【図１１】
2014023879.tif 000013
【図１２】
2014023879.tif 000014
【図１３】
2014023879.tif 000015
【図１４】
2014023879.tif 000016
【図１５】
2014023879.tif 000017
【図１６】
2014023879.tif 000018